(57)【要約】【課題】光ピックアップに搭載されている光学部品の放熱性を高める。【解決手段】光ピックアップのハウジング１１には、光学部品３０の保護のため、金属カバー２３が被せられている。光学部品３０は、ハウジング１１の底面の所定の位置に接着固定されており、光学部品３０の上方は金属カバー２３で覆われている。光学部品３０の上面３０ｕと金属カバー２３との間には熱伝導性樹脂３１が設けられている。このように、光学部品３０と金属カバー２３とを熱伝導性樹脂３１でつないだ場合には、レーザ光の熱損失によって光学部品３０が発熱したとしても、その熱が熱伝導性樹脂３１を通って金属カバー２３に逃げるので、光学部品３０の放熱性を高めることができる。【選択図】図１
2009043325.tif 000002
【特許請求の範囲】
【請求項１】
光学部品と、前記光学部品の少なくとも一面に対向する放熱部材と、前記光学部品と前記放熱部材とをつなぐ熱伝導性材料とを備えることを特徴とする光ピックアップ。
【請求項２】
前記熱伝導性材料は、前記光学部品の複数の面のうちレーザ光の入出射面及び反射面とは異なる面に設けられていることを特徴とする請求項１に記載の光ピックアップ。
【請求項３】
前記光学部品を収容するハウジングと、前記ハウジングの開口部に取り付けられた金属カバーを備え、前記放熱部材が前記金属カバーであることを特徴とする請求項１又は２に記載の光ピックアップ。
【請求項４】
前記光学部品がダイクロイックプリズム、ビームスプリッター又はハーフミラーであることを特徴とする請求項１乃至３のいずれか一項に記載の光ピックアップ。
【請求項５】
請求項１乃至４のいずれか一項に記載の光ピックアップを備えることを特徴とする光記録再生装置。
【発明の詳細な説明】
【技術分野】
【０００１】
本発明は、光ピックアップに関し、特に、光ピックアップ内の光学部品の放熱構造に関するものである。また、本発明は、この光ピックアップを用いた光記録再生装置に関するものである。
【背景技術】
【０００２】
ＣＤ、ＤＶＤ、ブルーレイディスク等の光ディスクへのデータの記録や再生を行う光記録再生装置は光ピックアップを備えており、光ピックアップには、レーザ光源等の発熱する部品が実装されている。この熱は、レーザ光源自身の特性はもちろんのこと、他の光学部品に対しても悪影響を与えることから、何らかの放熱対策が必要である。
【０００３】
外部からの熱によって光学部品の特性が変化することを防止するため、例えば特許文献１には、光学部品を保持するホルダを設け、このホルダ又は光学部品を周方向の複数箇所でピックアップ筐体に接触させることにより、光学部品の温度分布を均一化することが開示されている。また、特許文献２には、対物レンズとボビンとの間にボビンよりも熱伝導率が高い介装部材を設けることにより、対物レンズの周方向の温度分布を均一にすることが開示されている。
【特許文献１】特開２００６−１２０２０６号公報
【特許文献２】特開２００４−１１０９８４号公報
【発明の開示】
【発明が解決しようとする課題】
【０００４】
光ピックアップにおいては、レーザ光源自身の発熱のみならず、レーザ光が光学部品を通過するときにも熱損失が発生し、これにより光学部品が発熱する。例えば、ビームスプリッターは、入射したレーザ光の一部を透過又は反射する機能を有し、残りの光のほとんどは反射又は分散するが、残りの光の一部は吸収されて熱に変化するので、発熱しやすい性質を有する。さらに、光学部品は光ピックアップのハウジング内に収容され、金属製のカバーで覆われているため、熱がこもりやすい。ハウジング内にはそのような光学部品が複数あることから、ハウジング内の光学部品はより一層高温になり、屈折率の変動など、光学部品の特性に悪影響を与えるおそれがある。
【０００５】
したがって、本発明の目的は、光学部品の放熱性を高めることが可能な光ピックアップを提供することにある。本発明の目的はまた、そのような光ピックアップを用いた改良された光記録再生装置を提供することにある。
【課題を解決するための手段】
【０００６】
本発明の上記目的は、光学部品と、光学部品の少なくとも一面に対向する放熱部材と、光学部品と放熱部材とをつなぐ熱伝導性材料とを備えることを特徴とする光ピックアップによって達成される。この場合において、光学部品としては、ダイクロイックプリズム、ビームスプリッター又はハーフミラーであることが好ましい。また、熱伝導性材料は、光学部品の複数の面のうち、レーザ光の入出射面及び反射面とは異なる面に付着していることが好ましい。
【０００７】
本発明の光ピックアップは、光学部品を収容するハウジングと、ハウジングの開口部に取り付けられた金属カバーをさらに備え、放熱部材が金属カバーであることが好ましい。これによれば、光学部品の保護のために使用する金属カバーを放熱部材としても使用することができ、部品点数を増やすことなく光学部品の放熱性を高めることができる。
【０００８】
本発明の上記目的はまた、上述の光ピックアップを備えることを特徴とする光記録再生装置によっても達成される。
【発明の効果】
【０００９】
このように、本発明によれば、光学部品の放熱性を向上させることができ、信頼性の高い光ピックアップを構成することができる。また、本発明によれば、このような光ピックアップを用いた信頼性の高い光記録再生装置を実現することができる。
【発明を実施するための最良の形態】
【００１０】
以下、添付図面を参照しながら、本発明の好ましい実施の形態について詳細に説明する。
【００１１】
図１は、本発明の好ましい実施の形態による光ピックアップの構成を示す略斜視図である。
【００１２】
図１に示すように、光ピックアップ１００は、ハウジング１１と、ハウジング１１の一方の主面側に設けられた対物レンズ駆動装置１２（不図示）及び制御基板とを備えており、ハウジング１１の他方の主面側には光学部品収容部１１Ａが形成されている。対物レンズ駆動装置１２にはレーザ光をディスク面に収束させるための対物レンズが搭載されている。
【００１３】
光学部品収容部１１Ａにはハウジング１１の側面に取り付けられた第１及び第２のレーザダイオード１４、１５と、第１及び第２のレーザダイオード１４、１５に対応してそれぞれ設けられた第１及び第２の回折格子１６、１７と、第１のレーザダイオード１４からのレーザ光を透過し、第２のレーザダイオード１５からのレーザ光を反射するダイクロイックプリズム１８と、光ディスク（不図示）からの反射光をフォトダイオード２２側へ導く偏向ビームスプリッター１９（以下、単にビームスプリッターという）と、レーザ光の進行方向を変更する立ち上げミラー２０と、ビームスプリッター１９を通過した光を収束させるセンサーレンズ２１と、センサーレンズ２１によって集光された光を受光するフォトダイオード２２とを備えている。
【００１４】
第１のレーザダイオード１４から出射したレーザ光は、第１の回折格子１６で３本のビームに分割された後、ダイクロイックプリズム１８を透過し、ビームスプリッター１９で反射し、立ち上げミラー２０でさらに反射し、対物レンズを通って光ディスクの記録面に照射される。光ディスクの記録面で反射したレーザ光は、対物レンズ及び立ち上げミラー２０を通ってビームスプリッター１９に入射し、ビームスプリッター１９を透過し、さらにセンサーレンズ２１を通ってフォトダイオード２２に入射する。第２のレーザダイオード１５から出射したレーザ光は、第２の回折格子１７で３本のビームに分割された後、ダイクロイックプリズム１８で反射するが、その後の光路は第１のレーザダイオード１４から出射したレーザ光の場合と同様である。こうして、レーザ光はダイクロイックプリズム１８やビームスプリッター１９を透過又は反射するわけであるが、このときこれらの光学部品が発熱することは上述した通りである。
【００１５】
図２は、図１のハウジング１１に金属カバーが取り付けられた状態を示す略斜視図である。
【００１６】
図２に示すように、ハウジング１１には、光学部品の保護のため、金属カバー２３が被せられている。しかし、このような構成では、光学部品収容部１１Ａには光学部品が発生した熱がこもりやすい。そのため、本実施形態の光ピックアップ１００においては、光学部品の放熱対策が施されている。
【００１７】
図３は、光ピックアップ１００内の光学部品の放熱構造の一例を示す略断面図である。
【００１８】
図３に示すように、ビームスプリッター等の光学部品３０は、ハウジング１１の底面の所定の位置に接着固定されており、光学部品３０の上方は金属カバー２３で覆われている。さらに、本実施形態においては、光学部品３０の上面３０ｕと金属カバー２３との間に熱伝導性樹脂３１が設けられている。熱伝導性樹脂３１は、光学部品上に塗布しやすく、塗布した状態を維持できる程度の適度な粘性を有するものであることが好ましい。このように、光学部品３０と金属カバー２３とを熱伝導性樹脂３１でつないだ場合には、レーザ光の熱損失によって光学部品３０が発熱したとしても、その熱が熱伝導性樹脂３１を通って金属カバー２３に逃げるので、光学部品３０の放熱性を高めることができる。
【００１９】
図４は、光学部品の放熱構造の他の例を示す略断面図である。
【００２０】
図４に示すように、この放熱構造では、光学部品３０の上面３０ｕ及び側面３０ｓに熱伝導性樹脂３１が設けられている。このときの側面３０ｓは、レーザ光の入射面及び反射面とは異なる面であることは言うまでもない。このように、光学部品の上面３０ｕのみならず側面３０ｓにも熱伝導性樹脂３１を設けることにより、光学部品３０の放熱性をさらに高めることができる。
【００２１】
図５は、上述の光ピックアップ１００を用いた光記録再生装置の構成の一例を概略的に示すブロック図である。
【００２２】
図５に示すように、光記録再生装置２００は、光ディスク１０１を回転させるためのスピンドルモータ１０２と、光ディスク１０１にレーザ光を照射するとともにその反射光を受光する光ピックアップ１００と、スピンドルモータ１０２及び光ピックアップ１００の動作を制御するコントローラ１０３と、光ピックアップ１００にレーザ駆動信号を供給するレーザ駆動回路１０４と、光ピックアップ１００にレンズ駆動信号を供給するレンズ駆動回路１０５とを備えている。
【００２３】
コントローラ１０３にはフォーカスサーボ追従回路１０６、トラッキングサーボ追従回路１０７及びレーザコントロール回路１０８が含まれている。フォーカスサーボ追従回路１０６が作動すると、回転している光ディスク１０１の情報記録面にフォーカスがかかった状態となり、トラッキングサーボ追従回路１０７が作動すると、光ディスク１０１の偏芯している信号トラックに対して、レーザ光のスポットが自動追従状態となる。フォーカスサーボ追従回路１０６及びトラッキングサーボ追従回路１０７には、フォーカスゲインを自動調整するためのオートゲインコントロール機能及びトラッキングゲインを自動調整するためのオートゲインコントロール機能がそれぞれ備えられている。また、レーザコントロール回路１０８は、レーザ駆動回路１０４により供給されるレーザ駆動信号を生成する回路であり、光ディスク１０１に記録されている記録条件設定情報に基づいて、適切なレーザ駆動信号の生成を行う。
【００２４】
なお、これらフォーカスサーボ追従回路１０６、トラッキングサーボ追従回路１０７及びレーザコントロール回路１０８については、コントローラ１０３内に組み込まれた回路である必要はなく、コントローラ１０３と別個の部品であっても構わない。さらに、これらは物理的な回路である必要はなく、コントローラ１０３内で実行されるソフトウェアであっても構わない。
【００２５】
以上説明したように、本実施形態の光ピックアップによれば、光学部品の上方に金属製カバーを設けると共に、光学部品と金属製カバーとの間を熱伝導性材料で接続したので、光学部品にレーザ光が透過する際に光学部品から発生する熱を放熱させることができる。
【００２６】
また、本実施形態の光記録再生装置によれば、実装部品の一つとして上述の光ピックアップを用いることから、安価で高性能な光記録再生装置を実現することができる。
【００２７】
以上、本発明をその好ましい実施形態に基づき説明したが、本発明は以上の実施形態に限定されることなく、本発明の趣旨を逸脱しない範囲内で種々の変更を加えることが可能であり、それらも本発明の範囲に包含されるものであることは言うまでもない。
【００２８】
例えば、上記実施形態においては、熱伝導性材料を介して光学部品と金属カバーとをつなぐことにより光学部品の放熱性を高めているが、本発明はこのような構成に限るものではなく、例えば、光学部品の上面に専用の放熱板を取り付けても良く、熱伝導性材料を介して放熱板と光学部品とをつないでも良い。また、上述の通り、放熱部材の取付位置は光学部品の上面に限定されず、光学部品の少なくとも一面に対向する位置に設けられていればよい。
【００２９】
また、上記実施形態においては、ダイクロイックプリズムや偏向ビームスプリッターを対象としているが、放熱対策の対象となる光学部品はこれらに限定されるものではなく、例えばハーフミラー等、発熱しやすい他の種々の光学部品を対象にすることができる。ただし、ここにいう光学部品はレーザ光を透過又は反射する受動光学部品であり、レーザダイオードのような能動光学部品は対象ではない。
【図面の簡単な説明】
【００３０】
【図１】図１は、本発明の好ましい実施の形態による光ピックアップ１００の構成を示す略斜視図である。
【図２】図２は、ハウジング１１に金属カバーが取り付けられた状態を示す略斜視図である。
【図３】図３は、光ピックアップ１００内の光学部品の放熱構造の一例を示す略断面図である。
【図４】図４は、光学部品の放熱構造の他の例を示す略断面図である。
【図５】図５は、上述の光ピックアップ１００を用いた光記録再生装置２００の構成の一例を概略的に示すブロック図である。
【符号の説明】
【００３１】
１１    ハウジング
１１Ａ    光学部品収容部
１２    対物レンズ駆動装置
１４    第１のレーザダイオード
１５    第２のレーザダイオード
１６    第１の回折格子
１７    第２の回折格子
１８    ダイクロイックプリズム
１９    偏向ビームスプリッター
２０    立ち上げミラー
２１    センサーレンズ
２２    フォトダイオード
２３    金属カバー
３０    光学部品
３０ｕ    光学部品の上面
３０ｓ    光学部品の側面
３１    熱伝導性樹脂
１００    光ピックアップ
１０１    光ディスク
１０２    スピンドルモータ
１０３    コントローラ
１０４    レーザ駆動回路
１０５    レンズ駆動回路
１０６    フォーカスサーボ追従回路
１０７    トラッキングサーボ追従回路
１０８    レーザコントロール回路
２００    光記録再生装置
【図１】
2009043325.tif 000003
【図２】
2009043325.tif 000004
【図３】
2009043325.tif 000005
【図４】
2009043325.tif 000006
【図５】
2009043325.tif 000007